(57)【特許請求の範囲】
【請求項１】
発熱素子を有するサーマルヘッドと、
該サーマルヘッドを支持するヘッド支持板と、
該ヘッド支持板を回動可能に保持する一対のアーム部および該アーム部の一端を結合するプレート部とを有するホルダと、
前記アーム部の一部に形成された凹部に係合されて前記サーマルヘッドに圧接するように配置されるプラテンローラと、
前記ホルダの前記プレート部と前記ヘッド支持板との間に回動可能に設けられた補助プレートと、該補助プレートと前記ヘッド支持板との間に介挿されたバネと、
前記補助プレートの前記ヘッド支持板に対する位置を調整可能な調整手段と
を備え、
前記調整手段は、前記プレート部と前記補助プレートとの間に挿入可能なスペーサであり、
前記プレート部には段差部が形成され、前記スペーサは前記段差部がある部位と前記補助プレートとの間または前記段差部がない部位と前記補助プレートとの間に挿入されることで前記補助プレートの前記ヘッド支持板に対する位置が変化する
ことを特徴とするサーマルプリンタユニット。
【請求項２】
前記補助プレートまたは前記スペーサに突起が設けられ、前記スペーサまたは前記補助プレートには前記突起が係合可能な位置決め穴が設けられていることを特徴とする請求項１に記載のサーマルプリンタユニット。
【請求項３】
発熱素子を有するサーマルヘッドと、
該サーマルヘッドを支持するヘッド支持板と、
該ヘッド支持板を回動可能に保持する一対のアーム部および該アーム部の一端を結合するプレート部とを有するホルダと、
前記アーム部の一部に形成された凹部に係合されて前記サーマルヘッドに圧接するように配置されるプラテンローラと、
前記ホルダの前記プレート部と前記ヘッド支持板との間に回動可能に設けられた補助プレートと、該補助プレートと前記ヘッド支持板との間に介挿されたバネと、
前記補助プレートの前記ヘッド支持板に対する位置を調整可能な調整手段と
を備え、
前記調整手段は、前記プレート部と前記補助プレートとの間に挿入可能なスペーサであり、
前記補助プレートまたは前記スペーサに突起が設けられ、前記スペーサまたは前記補助プレートには前記突起が係合可能な位置決め穴が設けられている
ことを特徴とするサーマルプリンタユニット。
【請求項４】
前記プレート部には段差部が形成され、前記スペーサは前記段差部がある部位と前記補助プレートとの間または前記段差部がない部位と前記補助プレートとの間に挿入されることで前記補助プレートの前記ヘッド支持板に対する位置が変化することを特徴とする請求項３に記載のサーマルプリンタユニット。
【請求項５】
請求項１〜４のいずれかに記載のサーマルプリンタユニットと、前記サーマルプリンタユニットを収容する第１収容部とロール状の印字用紙を収容する第２収容部とを有する本体フレームと、該本体フレームに一端が回動可能に装着され他端に前記サーマルプリンタユニットを構成する前記プラテンローラを回転自在に保持するカバー部材とを有する印字装置。
【発明の詳細な説明】
【技術分野】
【０００１】
本発明は、印字装置さらには印字ヘッドをプラテンローラに圧接し、印字ヘッドとプラテンローラの間に印字用紙を挟み込んで印字を行なう印字装置（プリンタ）に利用して有効な技術に関し、特に厚みの異なる印字用紙に対して良好な印字を行なえるようにした感熱式印字装置（サーマルプリンタ）に関する。
【背景技術】
【０００２】
発熱素子を有する印字ヘッド（以下、サーマルヘッドと称する）とプラテンローラの間にロール状の感熱紙（以下、ロール紙と称する）を挿通して印字を行なうサーマルプリンタにおいては、サーマルヘッドをプラテンローラに圧接しているため、ロール紙を装填する際にサーマルヘッドをプラテンローラから離して新しいロール紙の先端を挿通してやる必要がある。
【０００３】
従来、ロール紙の装填に際してロール紙をサーマルヘッドとプラテンローラとの間に挿通し易くするようにするための技術として、例えば特許文献１や特許文献２に記載されているものがある。これらの発明においては、サーマルヘッドの背部にカムを配置し、このカムを回転させてバネの反発力に抗してサーマルヘッドをプラテンローラに押圧するとともに、カムを逆方向に回転させてバネの反発力でサーマルヘッドをプラテンローラから離れる方向へ移動させて隙間を空け、ロール紙を挿通するように構成されている。
【０００４】
また、ロール紙をサーマルヘッドとプラテンローラとの間にセットし易くするための技術として、例えば特許文献３のようにプラテンローラを外せるようにしたクラムシェル型のプリンタがある。
【特許文献１】特開２００３−２５１８３７号公報
【特許文献２】特開２００６−１１６７１４号公報
【特許文献３】特開２０００−３１８２６０号公報
【発明の開示】
【発明が解決しようとする課題】
【０００５】
サーマルプリンタで正確な印字を行なうには、サーマルヘッドをプラテンローラに向けて押圧し、ゴム製のプラテンローラの表面の潰れた範囲（ニップと呼ばれる）にサーマルヘッドの発熱素子を位置させることが必要である。市場には、色々な種類の印字用感熱紙が提供されており、どのような感熱紙に対しても高い品質の印字が行なえることが要求される。
【０００６】
しかしながら、感熱紙の厚みが異なると同一の圧力でサーマルヘッドをプラテンローラに押圧した場合、ニップの幅が変わってしまい印字の品質が低下してしまうおそれがある。具体的には、感熱紙の厚みが厚くなりコシが強くなるほどニップの幅が狭くなるので、感熱紙の厚みが厚くなるほどサーマルヘッドの押圧力を高くしてやるのが望ましい。しかし、従来のサーマルプリンタにおいては、サーマルヘッドの押圧力を変更する機能が設けられていないため、紙厚によって印字の品質がばらついてしまうという不具合がある。
【０００７】
紙を挿入しにくい特許文献１、２の構造は特許文献３のようなクラムシェルで解決されている。図６にクラムシェル型プリンタに用いられている従来のユニットの構造が示されている。このユニットは、サーマルヘッド１４を有するヘッド支持板１５を保持するホルダ１２のアーム１２Ａ，１２Ｂの先端にプラテンローラ１１の軸が係合可能な半円状の軸受け凹部１２ａ，１２ｂが形成され、この軸受け凹部１２ａ，１２ｂにプラテンローラ１１の軸が着脱可能に係合されるように構成されている。かかるユニットを備えたクラムシェル型プリンタでも本願のような加圧変更機構はなく、すべての推奨紙を調整の必要なしに使用できるよう、厚紙に必要な圧をかけている。しかし、圧が強いということは、モータの伝達するトルクもより多く必要になり、モータの消費電力、発熱の面で悪く、また動力を伝達するギアにかかる負荷も大きくなるため、ギアの耐久性も悪くなる。よって、1種類の機種で薄紙・厚紙に対応することは、薄紙しか使用しない客先に対しては、無駄な機能によるスペックダウンを強いることになる一方、厚紙対応機種を別途設定することは、在庫管理上、好ましくないことが明らかとなった。
【０００８】
そこで、本発明者らは、紙厚に応じてサーマルヘッドの押圧力を調整可能にすることについて検討した。前述した特許文献１や特許文献２に記載されている発明においては、サーマルヘッドの背部にカムが配置され、このカムが当接される板バネまたはカムが当接されるプレートとサーマルヘッドとの間に介挿された圧縮バネの反発力でサーマルヘッドに押圧力を与えるようにしている。このようなカムを利用することで、サーマルヘッドの押圧力を変えることも可能である。
【０００９】
しかしながら、特許文献１や特許文献２に記載されている発明が適用されるサーマルプリンタは比較的大型のものである。そのため、サーマルヘッドの背部にカムを配置するスペースがあるが、本発明者らが対象としている小型のサーマルプリンタにあってはサーマルヘッドの背部に充分なスペースがなく、カムを配置することが困難であるため、カムを利用してサーマルヘッドの押圧力を変化させようとすると、装置が大型になってしまうという問題点がある。
【００１０】
また、特許文献１や特許文献２に記載されているプリンタにおいては、プラテンローラがこれを回転可能に保持する部材に対して位置が不動にされているため、ロール紙を装填する際に、プラテンローラとサーマルヘッドとの隙間を充分に空ける必要がありそのためにカムを使用してサーマルヘッドを比較的大きく移動させており、カム以外の手段（例えば送りネジ等）でサーマルヘッドを移動させようとすると、移動に時間がかかったり部品点数が多くなったりするという不具合がある。
【００１１】
さらに、特許文献１や特許文献２に記載されているプリンタにおいては、ロール紙を装填し易くするためのカムを利用してサーマルヘッドの押圧力を変化させるように構成することも可能であるが、そのように構成した場合には、ユーザがロール紙を装填する際に、使用する紙の厚さに応じて最適な圧力が得られるようにいちいちカムの位置を調整する必要があり、設定が面倒であるとともに、誤って不適切な圧力が設定されるおそれもあることが明らかとなった。
【００１２】
この発明の目的は、紙厚に応じてサーマルヘッドの押圧力を調整することができしかも小型のサーマルプリンタに適した調整機構を提供することにある。
【００１３】
この発明の他の目的は、紙厚に応じてサーマルヘッドの押圧力を調整することができるとともに、同一種類の印字用紙を使用する場合にはいちいちサーマルヘッドの押圧力を調整する必要のない使い勝手が良好で設定ミスも起きにくいサーマルプリンタを提供することにある。
【課題を解決するための手段】
【００１４】
本発明は上記目的を達成するため、プラテンローラがこれを回転可能に保持するアームに対して着脱可能に構成され、サーマルヘッドをプラテンローラに向かって押圧するバネが配置されるサーマルヘッドの背部の空間が狭い小型のサーマルプリンタにおいて、サーマルヘッドの背部にバネを受ける補助プレートを設け、該補助プレートをヘッド支持板に対して接近／離反可能に構成するとともに、補助プレートのヘッド支持板に対する位置を調整可能な手段を設けるようにしたものである。
【００１５】
より具体的には、発熱素子を有するサーマルヘッドと、該サーマルヘッドを保有するヘッド支持板と、該ヘッド支持板を回動可能に保持する一対のアーム部および該アーム部の一端を結合するプレート部とを有するホルダと、前記アーム部の一部に形成された凹部に係合されて前記ヘッド支持板に近接するように配置されるプラテンローラと、前記ホルダの前記プレート部と前記ヘッド支持板との間に回動可能に設けられた補助プレートと、該補助プレートと前記ヘッド支持板との間に介挿されたバネと、前記補助プレートの前記ヘッド支持板に対する位置を調整可能な調整手段とを設けるようにした。ここで、調整手段としては、例えば前記プレート部と前記補助プレートとの間に挿入可能なスペーサやプレート部に設けられたネジ穴に挿入されその先端が前記補助プレートに当接するようにされたネジなどが考えられる。
【００１６】
上記した手段によれば、補助プレートの前記ヘッド支持板に対する位置を調整することにより、バネの反発力ひいてはプラテンローラに対するサーマルヘッドの押圧力を変化させることができるので、使用する印字用紙の厚みに応じてサーマルヘッドの押圧力を変化させることで良好な印字を行なわせることができる。そのため、ユーザは使用する印字用紙の種類によって異なるプリンタを用意する必要がなく、ひとつのプリンタで種々の印字用紙に対応することができるようになる。また、メーカは、ユーザが使用する印字用紙の種類に応じてサーマルヘッドの押圧力が最適に設定されたプリンタを簡単に準備して提供することができる。
【００１７】
なお、現在提供されているプリンタにおいても、必要以上にプラテンを加圧することにより、ひとつのプリンタで種々の印字用紙に対応させるようにすることが出来るが、そのようにすると薄紙のみを使用する用途ではプリンタの寿命が無駄に低下してしまう。本発明のプリンタでは、ユーザの使いたい仕様の紙に対して最適な圧力をかけることができるため、必要な印字品質を維持しつつ、その紙に適したプリンタ寿命に設定することができるという利点がある。
【００１８】
また、調整手段としてスペーサを使用する場合、前記プレート部には段差部を形成され、前記スペーサは前記段差部がある部位と前記補助プレートとの間または前記段差部がない部位と前記補助プレートとの間に挿入されることで前記補助プレートの前記ヘッド支持板に対する位置が変化するように構成するのが望ましい。これにより、比較的簡単な構成でかつ容易にプラテンローラに対するサーマルヘッドの押圧力を変化させることができる。
【００１９】
さらに、調整手段としてスペーサを使用する場合、前記補助プレートまたは前記スペーサに突起を設け、前記スペーサまたは前記補助プレートに前記突起が係合可能な位置決め穴を設けるのが望ましい。これにより、挿入されたスペーサがずれてしまうのを防止することができる。
【発明の効果】
【００２０】
本発明によれば、紙厚に応じてサーマルヘッドの押圧力を調整することができしかも小型のサーマルプリンタに適した調整機構を実現することができる。また、紙厚に応じてサーマルヘッドの押圧力を調整することができ、これによって印字品質を向上させたり、プリンタの寿命を長くしたりすることができるとともに、同一種類の印字用紙を使用する場合にはいちいちサーマルヘッドの押圧力を調整する必要のない使い勝手が良好で設定ミスも起きにくいサーマルプリンタを実現することができるという効果がある。
【発明を実施するための最良の形態】
【００２１】
以下、本発明の好適な実施例を図面に基づいて説明する。
【００２２】
図１には、本発明を適用したプリンタユニットの第１の実施例が示されている。この実施例のプリンタユニットは、プラテンローラ１１と、両側にプラテンローラ１１の軸を保持するアーム１２Ａ，１２Ｂを有するホルダ１２と、該ホルダ１２のプレート部１２Ｃとプラテンローラ１１との間に配置された補助プレート１３、前面にサーマルヘッド１４が保持されているヘッド支持板１５、補助プレート１３とヘッド支持板１５の裏面との間に介挿された一対の圧縮バネ１６Ａ，１６Ｂなどから構成される。
【００２３】
上記ホルダ１２のアーム１２Ａ，１２Ｂの先端にはプラテンローラ１１の軸が係合可能な半円状の軸受け凹部１２ａ，１２ｂが形成され、この軸受け凹部１２ａ，１２ｂに係合されたプラテンローラ１１の軸を２つのアーム１２Ａ，１２Ｂで抱え込むように保持することで、プラテンローラ１１を回転可能に支承する。図示しないが、サーマルヘッド１４の前面のプラテンローラ１１と接する部位に、複数の発熱素子が軸と平行な方向に沿って列状に設けられている。
【００２４】
上記補助プレート１３とヘッド支持板１５は、それぞれアーム１２Ａ，１２Ｂの基部に横架された回転支軸１７に回転可能に取り付けられており、圧縮バネ１６Ａ，１６Ｂが介挿されると補助プレート１３の背面がホルダ１２のプレート部１２Ｃの前面に接触してバネの圧力を受ける。そして、圧縮バネ１６Ａ，１６Ｂの反対側にあるヘッド支持板１５がバネの反発力で前方へ押されることで、前面のサーマルヘッド１４がプラテンローラ１１に向かって押圧されるように構成されている。図示しないが、プラテンローラ１１の他方の端には歯車が固着され、歯車伝達機構を介して図示しない駆動モータから回転力が伝達されてサーマルヘッド１４による印字に応じて回転される。
【００２５】
第１の実施例のプリンタユニットは、補助プレート１３とホルダ１２のプレート部１２Ｃとの間にスペーサ１８を挿入することで、補助プレート１３とヘッド支持板１５との間隔を変えて圧縮バネ１６ａ，１６ｂの反発力の大きさを変え、それによってサーマルヘッド１４のプラテンローラ１１に対する押圧力を変化させることができるように構成されている。
【００２６】
さらに、同じスペーサ１８を使用しても補助プレート１３とヘッド支持板１５との間隔を変えられるようにするため、ホルダ１２のプレート部１２Ｃのほぼ中央に折り曲げ片１２ｄからなる段差部が形成されている。また、補助プレート１３とホルダ１２のプレート部１２Ｃとの間に挿入されたスペーサ１８の横ずれを防止するためスペーサ１８の前面に円筒状の突起１８ａが形成され、プレート部１２Ｃには上記突起１８ａと係合可能な位置決め穴１９ａ，１９ｂが形成されている。位置決め穴１９ａ，１９ｂのうち一方（１９ａ）は上記折り曲げ片１２ｄに対応した位置に設けられ、他方（１９ｂ）は上記折り曲げ片１２ｄのない部位に対応して設けられている。
【００２７】
この実施例においては、スペーサ１８を突起１８ａが位置決め穴１９ｂと係合する位置にてホルダ１２のプレート部１２Ｃと補助プレート１３との間に介在させると、図２に示すように、図１に比べてスペーサ１８の厚みの分だけ補助プレート１３とヘッド支持板１５の間隔を狭くして圧縮バネ１６ａ，１６ｂの反発力を１段階大きくする。
【００２８】
また、スペーサ１８を突起１８ａが位置決め穴１９ａと係合する位置にてホルダ１２のプレート部１２Ｃと補助プレート１３との間に介在させると、図３に示すように、図１に比べてスペーサ１８の厚みと折り曲げ片１２ｄの段差分だけ補助プレート１３とヘッド支持板１５との間隔を狭くして圧縮バネ１６ａ，１６ｂの反発力を２段階大きくすることができる。
【００２９】
よって、薄い紙に印字を行なう場合には、図１に示すようにスペーサ１８を挿入せず、厚い紙に印字を行なう場合には、図３に示すようにスペーサ１８を折り曲げ片１２ｄに対応した位置に挿入する。また、中間の厚みの紙に印字を行なう場合には、図２に示すようにスペーサ１８を折り曲げ片１２ｄのない位置に挿入する。このようにすることにより、それぞれ紙厚に応じて最適な力でサーマルヘッド１４のプラテンローラ１１に押圧させて良好な印字を行なわせることができる。なお、突起１８ａと位置決め穴１９ａ，１９ｂとの関係は逆すなわちスペーサ１８に位置決め穴１９ａ，１９ｂを設け、ホルダ１２のプレート部１２Ｃに突起を設けても良い。
【００３０】
さらに、この実施例のプリンタユニットは、プラテンローラ１１がホルダ１２のアーム１２Ａ，１２Ｂの先端に着脱可能に取り付けられているため、プラテンローラ１１を外し、印字用紙の先端を持って用紙を引き出して、所定部位をサーマルヘッド１４の前面側に位置させてからプラテンローラ１１を再びアーム１２Ａ，１２Ｂの先端の凹部に係合させることで、印字用紙を装填することができる構成になっている。そのため、例えばプラテンローラ１１の長さが５〜６ｃｍ以下でサーマルヘッド１４の背面の空間が１ｃｍ以下であって、プラテンローラ１１とサーマルヘッド１４との間隔を空けて印字用紙の先端を挿入するのでは印字用紙の装填作業が極めて困難な小型のサーマルプリンタであっても簡単に印字用紙を装填することができる。
【００３１】
図４には、本発明を適用したプリンタユニットの第２の実施例が示されている。この実施例のプリンタユニットは、プラテンローラ１１の軸を保持するアーム１２Ａ，１２Ｂを有するホルダ１２のプレート部１２Ｃに調整ネジ４１Ａ，４１Ｂを挿入するネジ穴を設け、該ネジ穴に挿入された調整ネジの先端をプラテンローラ１１との間に配置された補助プレート１３の背面に当接させ、ネジを回すことによって補助プレート１３とヘッド支持板１５との間隔を変えて圧縮バネ１６ａ，１６ｂの反発力を調整してサーマルヘッド１４の押圧力を変えられるように構成されている。
【００３２】
上記調整ネジ４１Ａ，４１Ｂの近傍には目盛りをつけておいて、左右のネジの調整量を同一に設定できるようにするのが望ましい。この実施例のプリンタユニットは、サーマルヘッド１４の押圧力をアナログ的に変えられるという利点がある。
【００３３】
図５には、上記実施例のプリンタユニットを利用して好適なプリンタの構成例が示されている。
【００３４】
図５に示されているプリンタは、図１のプリンタユニットと感熱紙をロール状に巻いたロール紙２０を収容する収容部３１を有するプリンタフレーム本体３０と、該プリンタフレーム本体３０の一方の端に、支軸３２によって回動可能に取り付けられたカバー３３とを備えている。そして、カバー３３の先端側にプリンタユニットを構成するプラテンローラ１１が回転自在に取り付けられている。３７は用紙検出センサである。
【００３５】
また、ホルダ１２のプレート部１２Ｃの背部には軸３５に固着されたカム３６が設けられており、カム軸３５の端部に設けられているレバー（図示省略）を回動させるとカム３６が回転してプレート部１２Ｃが前方へ回動されて、プラテンローラ１１の軸とホルダ１２のアーム１２Ａ，１２Ｂとの係合が外れるように構成されている。さらに、プリンタフレーム本体３０の側壁前部には、ホルダ１２のアーム１２Ａ，１２Ｂの凹部１２ａ，１２ｂと重なる位置に同様な凹部が形成されており、この凹部にプラテンローラ１１の軸が係合され、通常はこのプリンタフレーム本体３０の側壁の凹部とアーム１２Ａ，１２Ｂの凹部１２ａ，１２ｂとでプラテンローラ１１の軸が上方へ飛び出さないように保持するようになっている。
【００３６】
従って、カム３６を回転させてプラテンローラ１１の軸とホルダ１２のアーム１２Ａ，１２Ｂとの係合を外してからカバー３３を、図６に一点鎖線で示すように上方へ回動させると、プリンタの上部が大きく開放される。この状態で収容部３１にロール紙２０を入れ、ロール紙の先端を引き出してプリンタユニットのサーマルヘッド１４の前方まで伸ばしてから、カバー３３を逆方向へ回動させて先端のプラテンローラ１１の軸がアーム１２Ａ，１２Ｂとフレーム本体３０の側壁の凹部に係合するように押し込んでやると、ロール紙の先端がサーマルヘッド１４とプラテンローラ１１との間に挟まれた印字可能な状態になる。
【００３７】
また、例えばカバー３３の支軸３２にカバーを常時開放方向へ付勢するコイルバネを装着しておくことにより、カム軸３５の操作レバーを操作してプラテンローラ１１をアーム１２Ａ，１２Ｂの凹部１２ａ，１２ｂから外してやると、ワンタッチで自動的にカバー３３が開いてプラテンローラ１１が外れるような構造が得られる。さらに、例えばサーマルヘッド１４を有するヘッド支持板１５の端部にユニット外部へ突出する操作レバーを設けて、ヘッド支持板１５をバネに抗して補助プレート側へ移動させることでプラテンローラ１１が外れるように構成することも可能である。この場合、カム３６を設ける必要はない。
【００３８】
なお、図５のようなカム３６を有するプリンタによれば、このカムを利用してヘッドの押圧力を変化させることができるようにも考えられるが、カム３６が押圧しているのはホルダ１２であるため、ヘッドの押圧力を大きくするためホルダ１２を前方へ移動させると、アーム部１２Ａ，１２Ｂが回転してプラテンローラ１１の軸がはずれ易くなってしまうという不具合がある。従って、これを回避しつつカムでヘッドの押圧力を大きくするには、カムをホルダ１２のプレート部１２Ｃと補助プレート１３との間に介在させる必要があるが、前述したように、本発明が対象としているような小型のプリンタユニットにはカムを介在させるスペースがないため、適用することが困難である。
【００３９】
以上本発明者によってなされた発明を実施例に基づき具体的に説明したが、本発明は上記実施例に限定されるものではなく、その要旨を逸脱しない範囲で種々変更可能であることはいうまでもない。例えば第１の実施例では、サーマルヘッド１４の押圧力を３段階に変えられように構成したものを示したが、互いに段差の異なる折り曲げ片を複数設けることで４段階以上に押圧力を変えられように構成することも可能である。また、段差はホルダ上端に設けた折り曲げ片に限定されず、プレート部１２Ｃの前面に形成しても良い。
【００４０】
さらに、厚みの異なる複数のスペーサを用意しておいて、挿入するスペーサを変えることで押圧力を調整するように構成しても良いし、段差とスペーサに軸と平行な方向のテーパを形成して無段階に押圧力を調整できるように構成しても良い。また、第２の実施例では、調整ネジを２つ使用しているが、ネジは１つであっても良い。また、圧縮バネ１６ａ，１６ｂの代わりに板バネを用いるようにしても良い。
【産業上の利用可能性】
【００４１】
以上の説明では主として本発明者によってなされた発明をその背景となった利用分野であるサーマルプリンタに適用した例を説明したが、本発明はそれに限定されるものでなく、例えば２つのローラ間に挟まれた用紙を搬送する搬送装置であって紙厚に応じてローラの圧力を変化させたい場合にも利用することができる。
【図面の簡単な説明】
【００４２】
【図１】図１は、本発明を適用したプリンタユニットの第１の実施例を示す斜視図である。
【図２】図２は、第１の実施例のプリンタユニットにおいてスペーサをホルダのプレート部と補助プレートとの間に介在させた状態を示す斜視図である。
【図３】図３は、第１の実施例のプリンタユニットにおいてスペーサをホルダの段差部にてプレート部と補助プレートとの間に介在させた状態を示す斜視図である。
【図４】図４は、本発明を適用したプリンタユニットの第２の実施例を示す斜視図である。
【図５】図５は、実施例のプリンタユニットを利用して好適なプリンタの構成例を示す断面側面図である。
【図６】図６は、従来のクラムシェル型プリンタに使用されているプリンタユニットの構成例を示す斜視図である。
【符号の説明】
【００４３】
１１  プラテンローラ
１２  ホルダ
１２Ａ，１２Ｂ  アーム
１２Ｃ  プレート部
１２ａ，１２ｂ  軸受け凹部
１３  補助プレート
１４  サーマルヘッド
１５  ヘッド支持板
１６Ａ，１６Ｂ  圧縮バネ
１７  回転支軸
１８  スペーサ
１９ａ，１９ｂ  位置決め穴
２０  ロール紙
３０  プリンタフレーム本体
３１  収容部
３２  支軸
３３  カバー
３７  センサ
４１Ａ，４１Ｂ  調整ネジ
【図１】
0005037289.tif 000002
【図２】
0005037289.tif 000003
【図３】
0005037289.tif 000004
【図４】
0005037289.tif 000005
【図５】
0005037289.tif 000006
【図６】
0005037289.tif 000007